【事件の表示】
　特願２０１２−２２５９１９「陽イオン吸着剤粒子およびその製造方法」拒絶査定不服審判事件〔平成２６年　５月　１日出願公開、特開２０１４−　７７７２０〕について、次のとおり審決する。
【結　論】
　本件審判の請求は、成り立たない。
【理　由】
第１　手続の経緯
　本願は、２０１２年１０月１１日の出願（特願２０１２−２２５９１９号）であって、平成２８年５月２４日付けで拒絶理由が通知され、同年７月２６日付けで意見書が提出されるとともに、同日付けで手続補正がなされ、同年１１月１８日付けで拒絶査定がなされ、これに対して、平成２９年２月２１日に拒絶査定不服審判の請求がなされ、同時に手続補正がなされたものである。
　その後、当審において、同年８月２５日付けで請求人から上申書が提出され、同年１２月１８日に面接審査が行われ、同年１２月２２日付けで請求人から上申書が提出されたものである。
　
第２　本願の請求項６に係る発明
　本願の請求項６に係る発明（以下、「本願発明」という。）は、平成２９年２月２１日付け手続補正により補正された特許請求の範囲の請求項６に記載された事項により特定される次のとおりのものである。なお、上記の平成２９年２月２１日付けの手続補正により、請求項６に対しての補正はなされていない。
　
「下記式（Ａ）
ＡｐＦｅ［Ｆｅ（ＣＮ）６］ｙ・ｚＨ２Ｏ・・・（Ａ）
式中、
Ａは陽イオンに由来する原子であり、ｐは０〜２の数であり、ｙは０．６以上１．５以下の数であり、ｚは０．５以上１０以下の数である、
で表されるプルシアンブルーのナノ粒子を担体内に担持、複合化してなる、陽イオン吸着剤粒子。」
　
第３　原査定の拒絶の理由
　原査定の拒絶の理由は、この出願の請求項６に係る発明は、本願の出願前に日本国内又は又は外国において、頒布された、又は電気通信回線を通じて公衆に利用可能となった柿の引用文献１及び２に記載された発明に基づいて、その出願前にその発明の属する技術分野における通常の知識を有する者が容易に発明をすることができたものであるから、特許法２９条２項の規定により特許を受けることができない、というものである。
引用文献１：特開２００１−１６４３２６号公報
引用文献２：特開２０１１−２００８５６号公報
第４　引用文献の記載事項及び引用発明
１　引用文献１には、次の事項が記載されている。（下線は、当審で付したものである。）
　
ａ「【０００１】
【発明の属する技術分野】本発明は、資源回収及び廃水処理あるいは分析化学などの諸分野において種々の成分が共存する被処理溶液中から微量に溶存するセシウムを選択的かつ効率的に分離・回収するために使用されるバイオポリマー複合セシウム選択性イオン交換体及びその製造方法に関する。」
ｂ「【０００７】
【発明が解決しようとする課題】しかし、上記の複合化法はいずれも調製操作が繁雑、かつ生成複合体のイオン交換特性が再現性に欠けるという問題があり（Radiochimica Acta, 40, 49 (1986)）、実用規模での利用は全くなされていない。このため、簡便かつ再現性に優れた当該無機イオン交換体の新しい賦形化法の開発が急務とされていた。
【０００８】本発明は、上記事情に鑑みてなされたもので、特に、無機イオン交換体の新しい賦形化法、具体的には、各種溶液中からのセシウムの効率的な吸着・分離プロセスに応用可能な新規のバイオポリマー複合セシウム選択性イオン交換体及びその簡便かつ再現性に優れた製造法、の提供を目的としている。
【０００９】
【課題を解決するための手段】本発明者らは、上記目的を達成するべく鋭意研究を重ねた結果、アルギン酸カルシウムゲル中に
セシウム選択性の高い無機イオン交換体
【００１０】本発明は、以下の技術的手段から構成される。
（１）アルギン酸カルシウムゲルを担体とし、これに無機イオン交換体（但し、りんモリブデン酸アンモニウムを除く）を担持して得られるセシウム選択性複合イオン交換体からなることを特徴とするセシウム分離・回収剤。
（２）無機イオン交換体が、タングストリン酸アンモニウム、ヘキサシアノ鉄（ＩＩ）酸銅（ＩＩ）カリウムから選択される１種である前記（１）記載のセシウム分離・回収剤。
（３）前記（１）記載の複合イオン交換体を製造する方法であって、無機イオン交換体の粉末を、アルギン酸ナトリウム溶液中に分散させて調製したスラリーをカルシウム塩溶液と接触させることによりアルギン酸カルシウムゲルの担体内に無機イオン交換体を分散、担持することを特徴とする製造方法。
（４）スラリーとカルシウム塩溶液との接触法として、前者を後者の溶液中に滴下して粒状の複合イオン交換体とすることを特徴とする前記（３）記載の製造方法。
（５）スラリーとカルシウム塩溶液との接触法として、前者を後者の溶液中に押出し成形して繊維状の複合イオン交換体とすることを特徴とする前記（３）記載の製造方法。
（６）スラリーを成膜化したのちカルシウム塩溶液と接触させて膜状の複合イオン交換体とすることを特徴とする前記（３）記載の製造方法。」
ｃ「【００１４】本発明の
バイオポリマー複合セシウム選択性イオン交換体
第１段階としてアルギン酸ナトリウムの溶液中に上記無機イオン交換体を添加、撹拌して両者のスラリーを得たのち、第２段階としてこのスラリーをカルシウム塩溶液と接触させてアルギン酸ナトリウム中の交換性のナトリウムイオンをカルシウムイオンでイオン交換してアルギン酸カルシウムゲルとし、その内部に当該無機イオン交換体を分散担持させて得られる有機−無機複合体
【００１５】
上記無機イオン交換体として、
一般式Ｋ
2-x
 Ｃｕ
x/2
 〔ＣｕＦｅ（ＣＮ）
6
 〕・ nＨ
2 
Ｏ（式中のｎはモル数を表し、ｎはｘの値により異なる）で表されるヘキサシアノ鉄（ＩＩ）酸銅（ＩＩ）カリウム
が使用される。
ｄ「【００１８】　本発明のバイオポリマー複合セシウム選択性イオン交換体は、アルギン酸カルシウムゲル担体内に無機イオン交換体を担持、複合化してなる任意の形状をとり得る新規複合無機イオン交換体であり、出発原料となるアルギン酸ナトリウム及び無機イオン交換体は、市販品が容易に入手でき、かつ利用可能である。当該複合セシウム選択性イオン交換体の化学組成は、用いるアルギン酸ナトリウムの組成及び無機イオン交換体の複合化率により異なるため一般式では表せないが、複合化試料の粉末Ｘ線回折測定により、無機イオン交換体に帰属される主要回折ピークが明瞭に認められることからその生成が、また、同一試料の赤外吸収スペクトル、Ｘ線マイクロアナライザーによるライン分析及びエネルギー分散スペクトル測定により、
無機イオン交換体が担体ゲル内に均一に分散担持されていること
ｅ「【００２１】１．粒状バイオポリマー複合セシウム選択性イオン交換体試料の作製
本発明のバイオポリマー複合セシウム選択性イオン交換体試料は、次のようにして作製される。即ち、市販のアルギン酸ナトリウム粉末の適量を蒸留水に溶解し適度の粘性を有する水溶液を得る。次に、このアルギン酸ナトリウム水溶液に市販ＷＰ、合成ＣｕＦＣ粉末の適量を添加、撹拌して均一なスラリーとする。このスラリーをカルシウム塩溶液中に滴下してアルギン酸ナトリウム中のナトリウムイオンをカルシウムイオンでイオン交換して上記無機イオン交換体を分散、担持した粒状のアルギン酸カルシウムゲルを得る。ここで得た粒状のアルギン酸カルシウムゲルを乾燥して、本発明の粒状バイオポリマー複合セシウム選択性イオン交換体が作製される。以下に、２種類の粒状バイオポリマー複合セシウム選択性イオン交換体の作製例について述べる。
【００２２】１．１　方法
（１）アルギン酸カルシウム−タングストリン酸アンモニウム複合体の調製
アルギン酸ナトリウム粉末（小宗化学製）１０ｇと市販のタングストリン酸アンモニウム（（ＮＨ4 ）3 ＰＯ4 ・１２（ＷＯ3 ）・３Ｈ2 Ｏ；和光純薬製）１０ｇを１Ｌの蒸留水に添加後、それらを良く混練し、均一なスラリーを得た。一方、４００ｍＬの蒸留水に市販の塩化カルシウム（和光純薬製）２８ｇを添加、撹拌して溶解させたのち、さらに全液量が５００ｍＬとなるように蒸留水を加えて０．５Ｍ（Ｍ＝ｍｏｌ／Ｌ、以下、Ｍと略記）の塩化カルシウム水溶液を得た。
【００２３】この０．５Ｍ塩化カルシウム水溶液５００ｍＬを撹拌機にて定速撹拌（２００ｒｐｍ）しながら、これに上記のスラリーを毎分２ｍＬの流速で定量ポンプにて滴下した。生成ゲルの安定化を図るためスラリーの全量を滴下後、さらに３０分間撹拌した。　次に、生成した粒状ゲルを０．５Ｍ塩化カルシウム水溶液中より分離し、蒸留水で洗浄した。洗浄後の粒状ゲルを５０℃のドライオーブン中で１２時間乾燥して本発明の粒状バイオポリマー複合セシウム選択性イオン交換体−３（以下、ＧＣ−３と略記する）を得た。
【００２４】（２）アルギン酸カルシウム−ヘキサシアノ鉄（ＩＩ）酸銅（ＩＩ）カリウム複合体の調製
先ず、４００ｍＬの蒸留水に市販のアルギン酸ナトリウム粉末（小宗化学製）５ｇを撹拌しながら少量づつ添加、溶解し、さらに全液量が５００ｍＬとなるように蒸留水を添加、撹拌してアルギン酸ナトリウムの１ｗｔ％水溶液を得た。次に、この１ｗｔ％のアルギン酸ナトリウム水溶液１００ｍＬに、既存の方法（Separation Science and Technology, 34 (1), 17-28 (1999) ）に準じて調製したヘキサシアノ鉄（ＩＩ）カリウム（Ｋ2-x Ｃｕx/2 〔ＣｕＦｅ（ＣＮ）6 〕・ nＨ2 Ｏ）２ｇを添加し、両者を良く混練し、均一なスラリーを得た。このスラリーを上記（１）と同様にして０．５Ｍ塩化カルシウム水溶液に滴下して得られた粒状ゲルを水洗、乾燥して本発明の粒状バイオポリマー複合セシウム選択性イオン交換体−４（以下、ＧＣ−４と略記する）を得た。」
　　
２　引用文献１に記載された発明の認定
　上記記載から、引用文献１には、
「第１段階としてアルギン酸ナトリウムの溶液中にセシウム選択性の高い無機イオン交換体を添加、撹拌して両者のスラリーを得たのち、第２段階としてこのスラリーをカルシウム塩溶液と接触させてアルギン酸ナトリウム中の交換性のナトリウムイオンをカルシウムイオンでイオン交換してアルギン酸カルシウムゲルとし、その内部に当該無機イオン交換体を分散担持させて得られる有機−無機複合体であるバイオポリマー複合セシウム選択性イオン交換体において、
　前記のセシウム選択性の高い無機イオン交換体として、一般式Ｋ2-x Ｃｕx/2 〔ＣｕＦｅ（ＣＮ）6 〕・ nＨ2 Ｏ（式中のｎはモル数を表し、ｎはｘの値により異なる）で表されるヘキサシアノ鉄（ＩＩ）酸銅（ＩＩ）カリウムが使用される
　バイオポリマー複合セシウム選択性イオン交換体。」
の発明（以下、「引用発明」という。）が記載されている。
　
３　引用文献２には、次の事項が記載されている。（下線は、当審で付したものである。）
ａ「【０００１】
　本発明は、
プルシアンブルー型金属錯体のもつ陽イオン吸着性
ｂ「【０００９】
　以上の点に鑑み、
　本発明の第一の目的は、陽イオン、特に所望のアルカリイオンを液体から吸着・除去し、その吸着した陽イオンを簡便に脱離させることができる陽イオンの処理方法、これに用いられる複合材料、陽イオンの処理装置の提供に関する。
　本発明の第二の目的は、陽イオン、特に所望のアルカリイオンを液体から吸着・除去し、その吸着した陽イオンを有する材料を簡便に取り出すことができる陽イオンの処理方法及び陽イオン処理用分散液の提供に関する。
【課題を解決するための手段】
【００１０】
上記の課題は以下の手段により達成された。
（１）プルシアンブルー型金属錯体を導電体上に配設した複合材料に所定の陽イオンを含有する溶液を接触させて前記所定の陽イオンを前記プルシアンブルー型金属錯体に吸着させ、その後、前記溶液の外で前記複合材料の陽イオンを脱離させるに当たり、前記陽イオンの吸着の際及び／又は脱離の際に、前記複合材料に印加する電位を制御することを特徴とする陽イオンの処理方法。
（２）前記所定の陽イオンの吸着を、該イオンを含有する溶液に前記複合材料を浸漬することにより行うことを特徴とする（１）に記載の陽イオンの処理方法。
（３）前記所定の陽イオンの脱離を、該イオンを吸着した複合材料を回収液に浸漬して、その浸漬している間に該複合材料の電位を制御して行うことを特徴とする（１）又は（２）に記載の陽イオンの処理方法。
（４）前記
プルシアンブルー型金属錯体として、下記金属原子Ｍ
Ａ
及び下記金属Ｍ
Ｂ
の間をシアノ基ＣＮが架橋してなるプルシアンブルー型金属錯体
［
金属原子Ｍ
Ａ
は、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属原子である。金属原子Ｍ
Ｂ
は、バナジウム、クロム、モリブデン、タングステン、マンガン、鉄、ルテニウム、コバルト、ニッケル、白金、及び銅からなる群より選ばれる一種または二種以上の金属原子である。
（５）
（ａ）前記金属原子Ｍ
Ａ
が銅（Ｃｕ）、前記金属原子Ｍ
Ｂ
が鉄（Ｆｅ）である、（ｂ）前記金属原子Ｍ
Ａ
が鉄（Ｆｅ）、前記金属原子Ｍ
Ｂ
が鉄（Ｆｅ）である、
−−−以下、省略−−−
【００１１】
　本発明において
「プルシアンブルー型金属錯体」とは下記金属原子Ｍ
Ａ
及び金属原子Ｍ
Ｂ
の間をシアノ基ＣＮが架橋してなる金属錯体と定義し
下記式（Ａ）で表される
　
Ａ
ｘ
Ｍ
Ａ
［Ｍ
Ｂ
（ＣＮ）
６
］
ｙ
・ｚＨ
２
Ｏ　・・・　（Ａ）
　Ａは陽イオンに由来する原子である。ｘは０〜２の数である。ｙは１〜０．３の数である。ｚは０〜２０の数である。Ｍ
Ａ
，Ｍ
Ｂ
は金属原子である。
　また、本発明において「陽イオンの処理」とは、具体的には、陽イオンの吸着及び／又は脱離、回収及び／又は交換を意味する。
【発明の効果】
【００１２】
　本発明の処理方法、これに用いられる複合材料、陽イオンの処理装置によれば、陽イオン、特に所望のアルカリイオンを液体から吸着・除去し、その吸着した陽イオンを簡便に脱離させることができる。
　また、陽イオンの処理方法及び陽イオン処理用分散液によれば、陽イオン、特に所望のアルカリイオンを液体から吸着・除去し、その吸着した陽イオンを有する材料を簡便に取り出すことができる。
　また、本発明を利用すると、必要により、一つの装置について、電気化学処理の印加電位を制御するなどにより、複数の機能を持たせることも可能となる。」
ｃ「【００２３】
　また、本実施態様の複合材料においては、
プルシアンブルー型金属錯体の水溶液中で安定であることが望ましい。水に分散する特性を持つナノ粒子を利用し、薄膜を設置する場合には、水中での安定性を向上させる
　製膜した後に水中安定化する方法は特に限定されないが、例えば、プルシアンブルー型金属錯体からなるナノ粒子を基材に配設して構造体をなすに当たり、下記ａ〜ｄのいずれかの工程により安定化された構造体とすることが挙げられる。
（ａ：前記基材の前記ナノ粒子を配設する面が仕事関数４．５ｅＶ以上の原子ＭＳで構成されたものとする工程。）
（ｂ：前記ナノ粒子に電気化学的処理を施す工程。）
（ｃ：前記ナノ粒子を金属もしくは金属錯体のイオンを含む剤で処理する工程。）
（ｄ：前記ナノ粒子を加熱する工程。)
　以下に、上記各手段（ａ）〜（ｄ）のそれぞれについて詳述する。なお、これらの手段については、さらに国際出願第ＰＣＴ／ＪＰ２００７／０７５２６５号明細書を参照することができる。このとき利用することができるプルシアンブルー型金属錯体超微粒子分散液の濃度は、特に限定されないが、製膜における塗布性を考慮して０．１〜２０質量％であることが好ましく、１〜１５質量％であることがより好ましい。」
ｄ「【００３８】
　以下に、本発明を実施例に基づいて詳細に説明するが、本発明はこれにより限定して解釈されるものではない。
【００３９】
＜調製例１＞
（水分散性のプルシアンブルーナノ粒子の調製）
　フェロシアン化ナトリウム・１０水和物１４．５ｇを水６０ｍＬに溶解した水溶液に硝酸鉄・９水和物１６．２ｇを水に溶解した水溶液３０ｍＬを混合し、５分間攪拌した。析出した青色のプルシアンブルー（ＰＢ）沈殿物を遠心分離し、これを水で３回、続いてメタノールで１回洗浄し、減圧下で乾燥（粉末１’）した。このときの収量は１１．０ｇであり、収率はＦｅ４［Ｆｅ（ＣＮ）６］３・１５Ｈ２Ｏとして９７．４％であった。
　作製したプルシアンブルー錯体（沈殿物）を粉末Ｘ線回折装置で解析した結果を図５に示す。これは標準試料データベースから検索されるプルシアンブルー（Ｆｅ４［Ｆｅ（ＣＮ）６］３）のもの（図示せず）と一致した。また、ＦＴ−ＩＲ測定においても、２０８０ｃｍ−１付近にＦｅ−ＣＮ伸縮振動に起因するピークが現れており（図示せず）、この固形物がプルシアンブルーであることを示した。透過型電子顕微鏡で測定したところ、図６に示したように、このプルシアンブルーは１０〜２０ｎｍのナノ粒子の凝集体であった。
【００４０】
　上記プルシアンブルー（凝集体）０．４０ｇを水８ｍＬに懸濁させた。この懸濁液に、フェロシアン化ナトリウム・１０水和物を１８０または８０ｍｇを加え、攪拌したところ青色透明分散液へと変化した。
このようにして水分散性のプルシアンブルーのナノ粒子を得た（分散液１）。
【００４１】
　この青色透明分散液を乾燥させ、乾固させることにより、青色粉末状の水分散性プルシアンブルー型金属錯体ナノ粒子（粉末１）を得た。」
４　引用文献２に記載された技術事項
　引用文献２には次の２つの技術事項が記載されていることが読み取れる
（１）上記「３」のａ，ｂから、引用文献２には、
「下記式（Ａ）の金属原子ＭＡ及び下記金属ＭＢの間をシアノ基ＣＮが架橋してなるプルシアンブルー型金属錯体が陽イオン吸着性を有すること。
　なお、式（Ａ）：ＡｘＭＡ［ＭＢ（ＣＮ）６］ｙ・ｚＨ２Ｏ　
　であり、ここで、Ａは陽イオンに由来する原子であり、ｘは０〜２の数であり、ｙは１〜０．３の数であり、ｚは０〜２０の数であり、ＭＡ，ＭＢは金属原子であり、
　また、金属原子ＭＡは、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属原子であり、金属原子ＭＢは、バナジウム、クロム、モリブデン、タングステン、マンガン、鉄、ルテニウム、コバルト、ニッケル、白金、及び銅からなる群より選ばれる一種または二種以上の金属原子であり、
　特に、（ａ）前記金属原子ＭＡが銅（Ｃｕ）、前記金属原子ＭＢが鉄（Ｆｅ）である、又は、（ｂ）前記金属原子ＭＡが鉄（Ｆｅ）、前記金属原子ＭＢが鉄（Ｆｅ）であるものが挙げられる。」
（以下「引用文献２記載の技術事項１」という。）が記載されているといえる。
（２）上記「３」のｃ、ｄから、【００３９】〜【００４１】の調製により「水分散性のプルシアンブルーのナノ粒子を得ることができること」、そして、「当該『水に分散する特性を持つナノ粒子』を利用して、水溶液中での安定性を向上させることができること。」
（以下「引用文献２記載の技術事項２」という。）が記載されているといえる。
第５　本願発明と引用発明の対比、及び、当審の判断
１　対比
（１）ここで、本願発明と引用発明を対比する。
　引用発明の「一般式Ｋ2-x Ｃｕx/2 〔ＣｕＦｅ（ＣＮ）6 〕・ nＨ2 Ｏ（式中のｎはモル数を表し、ｎはｘの値により異なる）で表されるヘキサシアノ鉄（ＩＩ）酸銅（ＩＩ）カリウムが使用される」「セシウム選択性の高い無機イオン交換体」と、
　本願発明の「ＡｐＦｅ［Ｆｅ（ＣＮ）６］ｙ・ｚＨ２Ｏ・・・（Ａ）式中、Ａは陽イオンに由来する原子であり、ｐは０〜２の数であり、ｙは０．６以上１．５以下の数であり、ｚは０．５以上１０以下の数である、で表されるプルシアンブルー」とは、
「一種または二種以上の金属原子ＭＡ及び一種または二種以上の金属原子ＭＢの間をシアノ基（ＣＮ)が架橋してなる金属錯体からなる無機イオン交換体」である点で一致する。
　
　引用発明の「アルギン酸カルシウムゲル」の「内部に」「セシウム選択性の高い」「無機イオン交換体を分散担持させて得られる有機−無機複合体であるバイオポリマー複合セシウム選択性イオン交換体」と、本願発明の「無機イオン交換体のナノ粒子を担体内に担持、複合化してなる、陽イオン吸着剤粒子」とは、「無機イオン交換体の粒子を担体内に担持、複合化してなる、陽イオン吸着剤粒子」である点で一致する。
（２）本願発明と引用発明の一致点
　したがって、本願発明と引用発明とは、
「一種または二種以上の金属原子ＭＡ及び一種または二種以上の金属原子ＭＢの間をシアノ基（ＣＮ)が架橋してなる金属錯体からなる無機イオン交換体の粒子を担体内に担持、複合化してなる、陽イオン吸着剤粒子。」
の発明である点で一致し、次の各点で相違する。
　
（３）本願発明と引用発明の相違点
ア　相違点１：
　「一種または二種以上の金属原子ＭＡ及び一種または二種以上の金属原子ＭＢの間をシアノ基（ＣＮ)が架橋してなる金属錯体からなる無機イオン交換体」が、本願発明においては、
「下記式（Ａ）
ＡｐＦｅ［Ｆｅ（ＣＮ）６］ｙ・ｚＨ２Ｏ・・・（Ａ）
式中、
Ａは陽イオンに由来する原子であり、ｐは０〜２の数であり、ｙは０．６以上１．５以下の数であり、ｚは０．５以上１０以下の数である、
で表されるプルシアンブルー」（以下、単に「プルシアンブルー」という。）
であるのに対して、引用発明においては、
「一般式Ｋ2-x Ｃｕx/2 〔ＣｕＦｅ（ＣＮ）6 〕・ nＨ2 Ｏ（式中のｎはモル数を表し、ｎはｘの値により異なる）で表されるヘキサシアノ鉄（ＩＩ）酸銅（ＩＩ）カリウム」
である点。
イ　相違点２：
　粒子が、本願発明では「ナノ粒子」であるのに対して、引用発明ではそのような特定がない点。
　
２　当審の判断
（１）相違点の検討
ア　相違点１について
　上記「第４」「４」（１）に記載の「引用文献２記載の技術事項１」から、「プルシアンブルー」（引用文献２に記載の技術事項１において、（ｂ）の金属原子ＭＡが鉄（Ｆｅ）、金属原子ＭＢが鉄（Ｆｅ）であるもの）を含む「プルシアンブルー型金属錯体」は、陽イオン吸着性を有する。
　そして、「引用文献２記載の技術事項１」から、引用発明における「無機イオン交換体」である「一般式Ｋ2-x Ｃｕx/2 〔ＣｕＦｅ（ＣＮ）6 〕・ nＨ2 Ｏ（式中のｎはモル数を表し、ｎはｘの値により異なる）で表されるヘキサシアノ鉄（ＩＩ）酸銅（ＩＩ）カリウム」は、「プルシアンブルー型金属錯体」であるといえるところ、「プルシアンブルー型金属錯体」において具体的にどのような組成のものを選ぶか、すなわち、「引用文献２に記載の技術事項１」における金属原子ＭＡ及び金属原子ＭＢとして具体的にどのような金属原子を選択するかは、当業者が必要に応じて適宜設定し得る事項である。
　その際に、上記の「引用文献２に記載の技術事項１」を参酌し、金属原子ＭＡが鉄（Ｆｅ）、金属原子ＭＢが鉄（Ｆｅ）であるもの、すなわち、「プルシアンブルー」を選択して、上記相違点１に係る本願発明の構成を得ることは当業者が容易に想到し得たことである。
イ　相違点２について
　引用発明は「アルギン酸カルシウムゲル」の「内部に当該無機イオン交換体を分散担持させて得られる有機−無機複合体」であり、引用文献１のｄ（【００１８】）の記載からも、「無機イオン交換体」が担体ゲル内に「均一に分散担持」されていることが要請されるものと認められる。
　引用文献２に接した当業者であれば、上記「ア」において、「プルシアンブルー」を選択した際に、上記「第４」「４」（２）に記載の「引用文献２記載の技術事項２」を参酌し、上記の要請に応じて、「無機イオン交換体」である「プルシアンブルー」を「水分散性のプルシアンブルーの『ナノ粒子』」とし、上記相違点２に係る本願発明の構成を得ることを容易に想到し得るものと認める。
（２）本願発明が奏する作用効果について
　そして、本願発明によってもたらされる効果は、引用発明、並びに、引用文献２記載の技術事項１及び２から当業者が予測し得る程度のものである。
　
（３）まとめ
　したがって、本願発明は、引用発明、並びに、引用文献２記載の技術事項１及び２に基いて当業者が容易に発明をすることができたものである。
　
３　むすび
　以上のとおり、本願発明は、引用発明、並びに、引用文献２記載の技術事項１及び２に基いて当業者が容易に発明をすることができたものであるから、特許法第２９条第２項の規定により特許を受けることができない。
　
第６　結言
　以上のとおり、本願発明は、特許法第２９条第２項の規定により特許を受けることができないから、その余の請求項に係る発明について論及するまでもなく、本願は拒絶すべきものである。
　
　よって、結論のとおり審決する。